(57)【要約】      （修正有）【課題】重要なワンタッチ及び／または短縮ダイヤルを削除しにくくすることができる。【解決手段】表示パネル９と、入力部７と、メモリ６と、通信部２と、画像形成部４と、制御部８とを有している。メモリ６は、他のファクシミリ装置の通常ダイヤル番号と、通常ダイヤル番号に対応づけて登録された通常ダイヤル番号よりも短いワンタッチ及び／または短縮ダイヤル番号を記憶可能な部分である。制御部８は、メモリ６に記憶されているワンタッチ及び／または短縮ダイヤル番号が他のファクシミリ装置と通信可能かどうかを判断し、通信可能ではないと判断したワンタッチ及び／または短縮ダイヤル番号をメモリ６に記憶させ、通信可能ではないと判断したワンタッチ及び／または短縮ダイヤル番号の修正又はメモリ６からの削除を操作者に選択させるための選択画面を表示パネル９に表示させる。【選択図】図２
2007266806.tif 000002
【特許請求の範囲】
【請求項１】
原稿の画像情報を複数の他のファクシミリ装置と通信可能なファクシミリ装置であって、
前記他のファクシミリ装置と通信する際に、通信情報を表示する表示部と、
前記他のファクシミリ装置のダイヤル番号が入力可能な入力部と、
前記他のファクシミリ装置の通常ダイヤル番号と、前記通常ダイヤル番号に対応づけて登録された前記通常ダイヤル番号よりも短いワンタッチ及び／または短縮ダイヤル番号とを記憶可能な記憶部と、
前記他のファクシミリ装置と原稿の画像情報を送受信可能な通信部と、
前記通信部で受信した画像情報を出力する出力部と、
前記記憶部に記憶されている前記ワンタッチ及び／または短縮ダイヤル番号が前記他のファクシミリ装置と通信可能かどうかを判断し、通信可能ではないと判断した前記ワンタッチ及び／または短縮ダイヤル番号を前記記憶部に記憶させ、通信可能ではないと判断した前記ワンタッチ及び／または短縮ダイヤル番号の修正又は前記記憶部からの削除を操作者に選択させるための選択画面を前記表示部に表示させる制御部と、
を備えたファクシミリ装置。
【請求項２】
前記制御部は、前記他のファクシミリ装置から発信されたＤＩＳ信号またはＣＥＤ信号またはＡＮＳａｍ信号を前記通信部が受信することで通信可能かどうかを判断する、請求項１に記載のファクシミリ装置
【請求項３】
前記記憶部は前記ワンタッチ及び／または短縮ダイヤル番号を最後に使用した際に通信可能であったかどうかをさらに記憶し、
前記制御部は前記ワンタッチ及び／または短縮ダイヤル番号を最後に使用した際に通信不能であった前記ワンタッチ及び／または短縮ダイヤル番号のみ前記他のファクシミリ装置と通信可能かどうかを判断する、
請求項１又は２に記載のファクシミリ装置。
【請求項４】
前記記憶部は前記ワンタッチ及び／または短縮ダイヤル番号をさらに記憶可能であり、
前記制御部は最終使用日時が所定の日時以前である前記ワンタッチ及び／または短縮ダイヤル番号が前記他のファクシミリ装置と通信可能かどうかを判断する、
請求項１から３のいずれかに記載のファクシミリ装置。
【請求項５】
前記制御部は前記ワンタッチ及び／または短縮ダイヤル番号を一時的に保留することをさらに選択させるための選択画面を前記表示部にさらに表示させる、請求項１から４までのいずれかに記載のファクシミリ装置。
【発明の詳細な説明】
【技術分野】
【０００１】
本発明は、ファクシミリ装置、特に、原稿の画像情報を複数の他のファクシミリ装置と通信可能なファクシミリ装置に関する。
【背景技術】
【０００２】
ファクシミリ装置は、通信部と、出力部と、記憶部とを備えている。通信部は他のファクシミリ装置と通信する部分であって、画像情報を送信・受信する部分である。出力部は通信部で受信した画像情報を出力する部分である。記憶部は通信情報（ワンタッチ及び／または短縮ダイヤル番号や使用回数、最終使用日時など）を記憶する部分である。ファクシミリ装置には、記憶部に記憶された通信情報のうち、使用回数や使用日時に対してユーザが設けた基準を満たさないものを一括で削除することができるものがある（特許文献１参照）。
【特許文献１】特開２００３−１８２８１号公報
【発明の開示】
【発明が解決しようとする課題】
【０００３】
特許文献１に記載のファクシミリ装置では、基準を満たすものはすべて削除するために、偶然使用回数が少ない場合や偶然使用日時がユーザによって設けられた基準を満たさない場合には重要なワンタッチ及び／または短縮ダイヤルなどが削除されてしまう。
【０００４】
本発明の課題は、重要なワンタッチ及び／または短縮ダイヤルを削除しにくくすることにある。
【課題を解決するための手段】
【０００５】
請求項１に係るファクシミリ装置は、原稿の画像情報を複数の他のファクシミリ装置と通信可能なファクシミリ装置であって、表示部と、入力部と、記憶部と、通信部と、出力部と、制御部とを有している。表示部は、他のファクシミリ装置と通信する際に、通信情報を表示する。入力部は、他のファクシミリ装置のダイヤル番号を入力可能な部分である。記憶部は、他のファクシミリ装置の通常ダイヤル番号と、通常ダイヤル番号に対応づけて登録された通常ダイヤル番号よりも短いワンタッチ及び／または短縮ダイヤル番号を記憶可能な部分である。通信部は、他のファクシミリ装置と原稿の画像情報を送受信可能な部分である。出力部は、通信部で受信した画像情報を出力する部分である。制御部は、記憶部に記憶されているワンタッチ及び／または短縮ダイヤル番号が他のファクシミリ装置と通信可能かどうかを判断し、通信可能ではないと判断したワンタッチ及び／または短縮ダイヤル番号を記憶部に記憶させ、通信可能ではないと判断したワンタッチ及び／または短縮ダイヤル番号の修正又は記憶部からの削除を操作者に選択させるための選択画面を表示部に表示させる
このファクシミリ装置では、他のファクシミリ装置から画像情報が送信された場合には、通信部を介して出力部で出力される。また、他のファクシミリ装置に画像情報を送信する場合には入力部からダイヤル番号を入力し、通信部を介して他のファクシミリ装置に画像情報を送信する。制御部では、記憶部に記憶されているワンタッチ及び／または短縮ダイヤル番号が他のファクシミリ装置と通信可能かどうかが判断される。このとき、通信可能ではないと判断された場合には、通信可能ではないと判断されたワンタッチ及び／または短縮ダイヤル番号の修正又は記憶部からの削除を操作者に選択させるための選択画面を表示部に表示させる。
【０００６】
ここでは、通信不能なワンタッチ及び／または短縮ダイヤル番号の修正又は削除が操作者によって行われるために、重要なワンタッチ及び／または短縮ダイヤルを削除しにくくすることができる。
【０００７】
請求項２に係るファクシミリ装置は、請求項１に記載のファクシミリ装置であって、通信判断部は他のファクシミリ装置が発信したＤＩＳ信号またはＣＥＤ信号またはＡＮＳａｍ信号を受信することで通信可能かどうかを判断する。
【０００８】
このファクシミリ装置では、記憶部に記憶されているワンタッチ及び／または短縮ダイヤル番号に対応するファクシミリ装置にＤＩＳ信号またはＣＥＤ信号またはＡＮＳａｍ信号を発信する。このとき、ＤＩＳ信号またはＣＥＤ信号またはＡＮＳａｍ信号を受信した相手側のファクシミリ装置からＤＩＳ信号またはＣＥＤ信号またはＡＮＳａｍ信号が発信され、相手側が発信したＤＩＳ信号またはＣＥＤ信号またはＡＮＳａｍ信号を受信するとワンタッチ及び／または短縮ダイヤル番号に対応するファクシミリ装置と通信可能であると判断する。
【０００９】
ここでは、ＤＩＳ信号またはＣＥＤ信号またはＡＮＳａｍ信号の発信・受信のみで通信の可否を判断するために、相手側のファクシミリ装置の用紙を消費するのを防止でき、電話代が不要となる。
【００１０】
請求項３に係るファクシミリ装置は、請求項１または２に記載のファクシミリ装置であって、記憶部は、ワンタッチ及び／または短縮ダイヤル番号を最後に使用した際に通信可能であったかどうかをさらに記憶し、通信判断部は、ワンタッチ及び／または短縮ダイヤル番号を最後に使用した際に通信不能であったワンタッチ及び／または短縮ダイヤル番号のみ他のファクシミリ装置と通信可能かどうかを判断する。
【００１１】
ここでは、最後に使用した際に通信不能であったワンタッチ及び／または短縮ダイヤル番号は現在も通信不能である可能性が高いために、通信不能であるワンタッチ及び／または短縮ダイヤル番号を判断する効率が良くなる。
【００１２】
請求項４に係るファクシミリ装置は、請求項１から３のいずれかに記載のファクシミリ装置であって、記憶部はワンタッチ及び／または短縮ダイヤル番号をさらに記憶可能であり、制御部は、通信判断部は最終使用日時が所定の日時以前であるワンタッチ及び／または短縮ダイヤル番号が他のファクシミリ装置と通信可能かどうかを判断する。
【００１３】
ここでは、最終使用日時が所定の日時以前のワンタッチ及び／または短縮ダイヤル番号は重要ではない可能性が高いために、重要ではないワンタッチ及び／または短縮ダイヤル番号を判断する効率が良くなる。
【００１４】
請求項５に係るファクシミリ装置は、請求項１から４のいずれかに記載のファクシミリ装置であって、制御部はワンタッチ及び／または短縮ダイヤル番号を一時的に保留することをさらに選択させるための選択画面を表示部に表示させる。
【００１５】
ここでは、通信不能であったワンタッチ及び／または短縮ダイヤル番号を修正する必要があるが、正しいダイヤル番号を調べる必要があるためにさらに時間が必要な場合には、一時的に保留することができる。このため、ダイヤル番号を修正しやすくなる。
【発明の効果】
【００１６】
本発明は、重要なワンタッチ及び／または短縮ダイヤルを削除しにくくすることができる。
【発明を実施するための最良の形態】
【００１７】
１．構成
図１に本発明の一実施形態が採用されたファクシミリ通信装置を備えた複合機１を示す。この複合機１は、公衆回線網を介して他のファクシミリ通信装置と互いに通信可能に接続されている。複合機１は、図２に示すように、通信部２と、原稿読み取り部３と、画像形成部４（出力部）と、排出部５と、メモリ６と、入力部７と、制御部８と、表示パネル９（表示部）とを備えている。ここで、図２は複合機１のブロック図である。また、この複合機１では入力部７を操作することで、メモリ６に記憶されているワンタッチダイヤル及び短縮ダイヤルが通信可能かどうかを自動的にテストするダイヤルテストを実施することができる。
【００１８】
通信部２は、他のファクシミリ通信装置と画像情報を通信するための部分であって、公衆回線網に接続されており、他のファクシミリ装置と公衆回線網を介して通信する部分である。また、通信部２は送信信号の符号化及び受信信号の複号化を行う。さらに、通信部２は公衆回線に発呼して相手先ファクシミリ装置との接続及び切断を制御する。
【００１９】
原稿読み取り部３は、例えば、光学式スキャナなどを有し、ファクシミリ通信を行う原稿の画像データを読み取る部分である。
【００２０】
画像形成部４は、他のファクシミリ装置から送信された画像データ及び画像読み取り部３で読み取った画像データに基づく画像を電子写真方式の画像形成プロセスにより用紙に形成するための部分である。
【００２１】
排出部５は画像形成部４で形成された画像が印字された用紙を排出するための部分である。
【００２２】
メモリ６は、ＲＡＭ、ＲＯＭで構成され、通信部２などの各部を制御するためのプログラムデータや通信情報を記憶するための部分である。また、メモリ６は、通常ダイヤル記憶部６ａと、ワンタッチダイヤル記憶部６ｂと、短縮ダイヤル記憶部６ｃと、ダイヤルテスト用記憶部６ｄとを備えており、それぞれ、通常ダイヤルに関する情報、ワンタッチダイヤルに関する情報、短縮ダイヤルに関する情報を記憶している。具体的には、通常ダイヤル記憶部６ａでは、他のファクシミリ装置の通常ダイヤル番号と、通常ダイヤル番号の最終使用日時とを記憶し、ワンタッチダイヤル記憶部６ｂには、ワンタッチダイヤル番号と、ワンタッチダイヤル番号の最終使用日時とをそれぞれ記憶している。短縮ダイヤル記憶部６ｃには、短縮ダイヤル番号と、短縮ダイヤル番号の最終使用日時とをそれぞれ記憶している。ダイヤルテスト用記憶部６ｄには、ダイヤルテストの結果が通信不能であるワンタッチ及び／または短縮ダイヤル番号を記憶している部分である。メモリ６のそれぞれの記憶部６ａ、６ｂ、６ｃは、所定の記憶容量を有しており、通信情報（通常ダイヤル番号、所定の数のワンタッチ及び／または短縮ダイヤル番号など）を記憶可能である。ここで、通常ダイヤル番号とはファックス通信を行う場合にダイヤル入力する場合に使用する番号である。また、短縮ダイヤルとは通常ダイヤル番号に対応させて登録させる通常ダイヤル番号よりも短い番号である。短縮ダイヤルは、対応づけた相手先の電話番号が予め登録されている点でワンタッチダイヤルと共通するが、使用する際に短縮ダイヤル番号（０１０等）を入力する点でワンタッチダイヤルとは異なる。ワンタッチダイヤルとは一つのボタンでダイヤル番号を入力することができるようにしたものである。
【００２３】
入力部７は、図１に示すように、複合機１の外枠の上部に設けられ、送信先のダイヤル番号の入力等を行うテンキー７１や、送信先として既に登録されているダイヤル番号を呼び出すためのダイヤルキー７２、各種設定操作のための設定キー７３、画像情報の送受信、原稿の読み取り等を指示するためのスタートキー７４を有している。また、入力部７上に設けた専用のキー（図示せず）や設定キー７３などを通じて、メモリ６に記憶されたワンタッチダイヤル及び短縮ダイヤルが通信可能かどうかをテストするダイヤルテストを実施することができる。
【００２４】
制御部８は、ＣＰＵ等を有しており、メモリ６に記憶されているプログラムデータを実行することで各部を制御するための部分である。また制御部８は、他のファクシミリ装置と通信する際に他のファクシミリ装置の番号を検索する検索機能や、通常ダイヤル番号やワンタッチ及び／または短縮ダイヤル番号の使用回数などをカウントするカウント機能なども備えている。さらに送信信号の変調及び受信信号の復調を行うとともに、相手ファクシミリ装置との間でファクシミリ制御信号を交換してファクシミリ通信手順を実行する。なお、制御部８は、通信部２、原稿読み取り部３、画像形成部４、排出部５、メモリ６、入力部７、表示パネル９に接続されている。
【００２５】
また、制御部８は、ダイヤルテストの際には、メモリ６に記憶されているワンタッチ及び／または短縮ダイヤル番号が他のファクシミリ装置と通信可能かどうかを判断する。具体的には、ワンタッチ及び／または短縮ダイヤル番号のうち、最終使用日時が基準日時以前であるワンタッチ及び／または短縮ダイヤル番号に対応したファクシミリ装置にダイヤルを行い、一定期間（約６０秒）が経過するか、ＤＩＳ信号またはＣＥＤ信号またはＡＮＳａｍ信号を受信するまで回線を接続する。ここで、基準日時はダイヤルテストの際に表示パネル９で、ユーザが自由に設定することができる。このとき、ダイヤルした相手がファクシミリ装置である場合には、電話回線が接続された後、ＤＩＳ信号またはＣＥＤ信号またはＡＮＳａｍ信号が発信し返される。このＤＩＳ信号またはＣＥＤ信号またはＡＮＳａｍ信号を受信できたワンタッチ及び／または短縮ダイヤル番号に対応するファクシミリ装置と通信可能であると判断する。なお、ＤＩＳ信号又はＣＥＤ信号またはＡＮＳａｍ信号を受信できた場合には、直ちに回線を切断することで、通信費用を節約することもできる。一方、ファクシミリ装置にダイヤルを行った後、一定期間（約６０秒）が経過したにもかかわらず応答が無い場合、すなわちＤＩＳ信号またはＣＥＤ信号またはＡＮＳａｍ信号を受信できない場合には通信不能と判断する。このとき、制御部は、通信不能と判断したワンタッチ及び／または短縮ダイヤル番号をダイヤルテスト用記憶部６ｄに記憶させる。すべてのワンタッチ及び／または短縮ダイヤル番号をテストした後に、制御部８は、ダイヤルテスト用記憶部６ｄに記憶されているワンタッチ及び／または短縮ダイヤル番号を修正またはメモリからの削除または一時保留のうちいずれかをユーザに選択させる画面を表示パネル９に表示させる。
【００２６】
表示パネル９は、他のファクシミリ装置と通信する際に、通信情報（通常ダイヤル番号、所定の数のワンタッチ及び／または短縮ダイヤル番号、使用回数、使用日時など）を表示する部分であって、複合機１の外枠の上部に設けられている。表示パネル９は、ダイヤルテストの際に通信不能と判断したワンタッチ及び／または短縮ダイヤル番号を修正またはメモリ６からの削除または一時保留のうちのいずれかをユーザに選択させるための画面を表示する。
【００２７】
２．動作
次に複合機１のファクシミリ機能に基づく動作について説明する。
【００２８】
他のファクシミリ装置から画像データが送信されると、画像データが制御部８を介して画像形成部４に送信される。画像形成部４で画像データに基づいて画像が用紙上に形成された後に、排出部５から画像が形成された用紙が排出される。
【００２９】
他のファクシミリ装置に画像データを送信する場合には、画像データを送信したい他のファクシミリ装置１のダイヤル番号を入力部７で入力する。その後、原稿を原稿読み取り部３において原稿の画像データを読み取らせる。原稿読み取り部３で読み取られた画像データは通信部２を介して他のファクシミリ装置に送信される。
【００３０】
次にダイヤルテストの際の動作について図３に記載のフローチャートに基づいて説明する。
【００３１】
入力部７のテンキー７１をユーザが操作することでダイヤルテストが開始されると、表示パネル９に基準日時を設定させる（Ｓ１）画面を表示する。基準日時が設定されると、テスト対象のワンタッチ及び／または短縮ダイヤル番号の最終使用日時が基準日時以前かどうかを判断する（Ｓ２）。最終使用日時が基準日時以前の場合（Ｓ２のＹＥＳ）には、すべてのワンタッチ及び／または短縮ダイヤル番号が終了したか否かが判断され（Ｓ６）、終了していない場合は、次のワンタッチ及び／または短縮ダイヤル番号のテストに移行する（Ｓ８）。終了している場合には、ダイヤルテスト用記憶部６ｄに記憶されているワンタッチ及び／または短縮ダイヤル番号を表示パネル９に表示させて（Ｓ７）、それぞれのワンタッチ及び／または短縮ダイヤル番号について修正またはメモリ６からの削除または一時的にダイヤルテスト用記憶部に保留のうちのいずれかをユーザに選択させる。
【００３２】
最終使用日時が基準日時以降の場合（Ｓ２のＮＯ）には、テスト対象のワンタッチ及び／または短縮ダイヤル番号に対応したファクシミリ装置にダイヤルを行う（Ｓ３）。その後、テスト対象のワンタッチ及び／または短縮ダイヤル番号に対応したファクシミリ装置からのＤＩＳ信号又はＣＥＤ信号またはＡＮＳａｍ信号を受信したか否かを判断する（Ｓ４）。受信した場合（Ｓ４のＹＥＳ）には、すべてのワンタッチ及び／または短縮ダイヤル番号が終了したか否かが判断され（Ｓ６）、終了していない場合は、次のワンタッチ及び／または短縮ダイヤル番号のテストに移行する（Ｓ８）。終了している場合には、ダイヤルテスト用記憶部６ｄに記憶されているワンタッチ及び／または短縮ダイヤル番号を表示パネル９に表示させて（Ｓ７）、それぞれのワンタッチ及び／または短縮ダイヤル番号について修正またはメモリ６からの削除または一時的にダイヤルテスト用記憶部に保留のうちのいずれかをユーザに選択させる。
【００３３】
受信しなかった場合（Ｓ４のＮＯ）、すなわちダイヤルを行った後に約６０秒経過しても受信していない場合には、テスト対象のワンタッチ及び／または短縮ダイヤル番号をダイヤルテスト用記憶部６ｄに記憶させる（Ｓ５）。すべてのワンタッチ及び／または短縮ダイヤル番号が終了したかどうかを判断する（Ｓ６）。すべてのワンタッチ及び／または短縮ダイヤル番号のテストが終了していない場合（Ｓ６のＮＯ）には、次のワンタッチ及び／または短縮ダイヤル番号のテストに移行する（Ｓ８）。すべてのワンタッチ及び／または短縮ダイヤル番号のテストが終了している場合（Ｓ６のＹＥＳ）には、ダイヤルテスト用記憶部６ｄに記憶されているワンタッチ及び／または短縮ダイヤル番号を表示パネル９に表示させて（Ｓ７）、それぞれのワンタッチ及び／または短縮ダイヤル番号について修正またはメモリ６からの削除または一時的にダイヤルテスト用記憶部に保留のうちのいずれかをユーザに選択させる。
【００３４】
ダイヤルテストを行う際の表示パネル７の操作例について、図４を参照して具体的に説明する。
【００３５】
先ず、ダイヤルテストを入力部７のテンキー７１によって開始すると、ダイヤルテストを入力部７のテンキー７１によって開始すると、Ａ１の画面が表示パネル９に表示される。そして、この画面において基準日時を設定する（ここでは、２００５年１０月１日を基準日時として設定）。すると、Ａ２に示されるようにメモリ６に記憶されているワンタッチ及び／または短縮ダイヤル番号に対して順番にダイヤルテストが行われる。ダイヤルテストの結果、通信不可能であった場合にはＡ３に示すような画面が表示されてダイヤルテスト用記憶部６ｄにそのダイヤル番号が記憶される。一方、ダイヤルテストの結果通信可能であった場合にはＡ４に示すような画面が表示パネル９に表示される。その後、対象となるすべてのワンタッチ及び／または短縮ダイヤル番号についてテストが終了すると、Ａ６の画面が表示され、ワンタッチ及び／または短縮ダイヤル番号の修正またはメモリ６からの削除または一時的にダイヤルテスト用記憶部６ｄに保留のうちのいずれかをユーザに選択させる。ここで、ワンタッチ及び／または短縮ダイヤル番号の修正を行う場合にはＡ６、Ａ８のような画面が表示される。その後、ダイヤルテストが終了されるとＡ７の画面が表示される。
【００３６】
ここでは、通信不能なワンタッチ及び／または短縮ダイヤル番号の修正又は削除がユーザによって行われるために、重要なワンタッチ及び／または短縮ダイヤルを削除しないようにすることができる。また、ＤＩＳ信号またはＣＥＤ信号またはＡＮＳａｍ信号の発信・受信のみで通信の可否を判断するために、相手側のファクシミリ装置の用紙を消費するのを防止でき、電話代が不要となる。
【００３７】
３．他の実施形態
（ａ）上記実施形態では、最終使用日時がユーザによって設定された基準日時以前のワンタッチ及び／または短縮ダイヤル番号についてダイヤルテストを行ったが、本発明はこれに限られずに、すべてのワンタッチ及び／または短縮ダイヤル番号ついてダイヤルテストを行っても良い。
【００３８】
（ｂ）上記実施形態では、最終使用日時がユーザによって設定された基準日時以前のワンタッチ及び／または短縮ダイヤル番号についてダイヤルテストを行ったが、本発明はこれに限られずに、ワンタッチ及び／または短縮ダイヤル番号の最終通信結果（最後に通信しようとした際の通信の可否）をメモリ６に記憶させ、最終通信結果が通信不可能のものについてダイヤルテストを行うようにしても良い。
【００３９】
（ｃ）さらに、上記実施形態では、画像形成部は電子写真方式を採用しているが、本発明はこれに限られずに、インクジェット方式であっても良い。
【００４０】
（ｄ）上記実施形態では、複合機１について説明したが、本発明はこれに限られずに、ファクシミリ装置などであっても良い。
【図面の簡単な説明】
【００４１】
【図１】本発明の一実施形態の係るファクシミリ装置１の概観図。
【図２】本発明の一実施形態に係るファクシミリ装置１のブロック図。
【図３】ダイヤルテストの動作を示すフローチャート。
【図４】ダイヤルテストの際の具体的な画面を示す図。
【符号の説明】
【００４２】
１  ファクシミリ装置
２  通信部
３  原稿読み取り部
４  画像形成部（出力部）
５  排出部
６  メモリ
７  入力部
８  制御部
９  表示パネル（表示部）
【図１】
2007266806.tif 000003
【図２】
2007266806.tif 000004
【図３】
2007266806.tif 000005
【図４】
2007266806.tif 000006